(57)【特許請求の範囲】
【請求項１】
スクリーンの一端を建物開口部に設置するスクリーン枠の縦枠部材に固定し、該スクリーンの他端をスクリーン枠にガイドさせた開閉操作用の可動框に連結して、該可動框の移動によりスクリーンを横引き式に開閉自在としたスクリーン装置において、
上記スクリーン枠における下部の横枠部材が、上記建物開口部の下部に固定的に設置され、上記スクリーンの開閉経路に沿う底板と、該底板の長手方向両側に立設した上記スクリーンの下端をガイドするガイド壁とを有し、該ガイド壁がスクリーンが風になびいてその下端が撓むのを抑止するに十分な硬さを有し且つ建物開口部を通じて出入りする者の歩行の障害にならないように弾性的に変形可能に形成されている、
ことを特徴とする横引き式スクリーン装置。
【請求項２】
請求項１に記載の横引き式スクリーン装置において、
下部の横枠部材におけるガイド壁を底板に着脱自在に取り付けた、
ことを特徴とする横引き式スクリーン装置。
【請求項３】
請求項１に記載の横引き式スクリーン装置において、
下部の横枠部材におけるガイド壁を底板と一体に形成し、それを床面に固定した取付部材に着脱自在に取り付けた、
ことを特徴とする横引き式スクリーン装置。
【発明の詳細な説明】
【０００１】
【発明の属する技術分野】
本発明は、ネットを横引きにより開閉自在とした横引き式スクリーン装置に関するものである。
【０００２】
【従来の技術】
交互に逆方向に折り返した伸縮自在のアコーディオン状のスクリーン、あるいはスクリーン枠又は開閉操作用の可動框内に内蔵した巻取軸に巻き付けたスクリーンを、横引きにより開閉自在とした横引き式スクリーン装置においては、スクリーンが風になびいてその上下端が撓むのを抑止するため、あるいは、防虫用スクリーンの上下端を通じて虫が侵入するのを防止するため、通常、スクリーンの上下端をスクリーン枠における横枠部材の長手方向に設けた一対のガイド壁間においてそれらのガイド壁にガイドさせている。
【０００３】
しかしながら、上記従来の横引き式スクリーン装置においては、スクリーン枠における下部の横枠部材が、スクリーンの開放状態においても建物開口部下部に固定的に設置された状態となるため、これが建物開口部を通じて出入りする者の歩行の障害となってしまう場合が多く、そのため下部の横枠部材の排除ないしは薄型化が望まれている。
【０００４】
このような要望に対処するものとして、スクリーンの下部をガイドさせるスクリーン枠を、スクリーンの収納時に該スクリーンと共に排除できるようにした横引き式スクリーン装置が既に提案されているが、この横引き式スクリーン装置は、下部の横枠部材をスクリーンの開閉に伴って収納するための機構を具備させることで、その構造が複雑化してしまう可能性があり、延いてはスクリーン装置の製造コストが高くなってしまう場合が考えられる。
【０００５】
【発明が解決しようとする課題】
如上に鑑みて、本発明の技術的課題は、スクリーン枠を構成する下部の横枠部材が、建物開口部を通じて出入りする者の歩行の障害とならないようにした横引き式スクリーン装置を、簡易な構造で且つ安価に提供することにある。
【０００６】
【課題を解決するための手段】
上記課題を解決するため、本発明の横引き式スクリーン装置は、スクリーンの一端を建物開口部に設置するスクリーン枠の縦枠部材に固定し、該スクリーンの他端をスクリーン枠にガイドさせた開閉操作用の可動框に連結して、該可動框の移動によりスクリーンを横引き式に開閉自在としたスクリーン装置において、上記スクリーン枠における下部の横枠部材が、上記建物開口部の下部に固定的に設置され、上記スクリーンの開閉経路に沿う底板と、該底板の長手方向両側に立設した上記スクリーンの下端をガイドするガイド壁とを有し、該ガイド壁がスクリーンが風になびいてその下端が撓むのを抑止するに十分な硬さを有し且つ建物開口部を通じて出入りする者の歩行の障害にならないように弾性的に変形可能に形成されていることを特徴とするものである。
【０００７】
上記横引き式スクリーン装置においては、下部の横枠部材におけるガイド壁を底板に着脱自在に取り付ける構造とすることができ、あるいは、下部の横枠部材におけるガイド壁を底板と一体に形成し、それを床面に固定した取付部材に着脱自在に取り付ける構造とすることもできる。
【０００８】
上記構成を有する横引き式スクリーン装置においては、スクリーン枠における下部の横枠部材が、上記建物開口部の下部に固定的に設置され、上記スクリーンの開閉経路に沿う底板と、該底板の長手方向両側に立設した上記スクリーンの下端をガイドするガイド壁とを有し、該ガイド壁がスクリーンが風になびいてその下端が撓むのを抑止するに十分な硬さを有し且つ建物開口部を通じて出入りする者の歩行の障害にならないように弾性的に変形可能に形成されているので、スクリーンの張設状態においてスクリーン下端をしっかりとガイドして下部の横枠部材から脱離するのを抑止することができ、また、仮に上記下部の横枠部材を踏みつけたとしても、上記ガイド壁が弾性的に変形するため、建物開口部を通じて出入りする者が足を痛めたり躓くといった歩行の障害になるようなことがない。
しかも、構造的に簡易なため、当該スクリーン装置を安価に提供することができる。
【０００９】
さらに、上記下部の横枠部材におけるガイド壁を底板に着脱自在に取り付けるか、あるいは下部の横枠部材におけるガイド壁を底板と一体に形成し、それを床面に固定した取付部材に着脱自在に取り付けることにより、上記下部の横枠部材及びその取り付け部近辺の床面の掃除をより簡単に行うことができる。
【００１０】
【発明の実施の形態】
図１乃至図３は、本発明に係る横引き式スクリーン装置を防虫網戸に適用した場合の第１実施例を示している。
この網戸は、アコーディオン式に伸縮するスクリーンを構成するネットを横引きにより開閉するもので、図１に示すように、概略的には、スクリーン枠２と、該スクリーン枠２内に横開きにより開閉自在に取り付けられた防虫ネット４と、該ネット４の一端に取り付けられた開閉操作用の可動框５とを備えている。
【００１１】
上記スクリーン枠２は、図１に示すように、左右の縦枠部材６，８と上下の横枠部材１０，１２とを相互に連結することにより形成され、これを図示しない建物開口部の取付枠等に螺子あるいは両面接着テープ等の固定手段により設置される。そして、上記ネット４の一端を上記スクリーン枠２における一方の縦枠部材６に固定すると共に、そのネット４の他端に、上下の横枠部材１０，１２によって摺動自在にガイドされる開閉操作用の可動框５を取り付け、これによりネット４をスクリーン枠２に対して開閉自在に張設している。
なお、下部の横枠部材１２は必ずしも縦枠部材６，８の下端に連結する必要はない。
【００１２】
また、上記可動框５は、該可動框５によるスムーズな開閉操作を行えるようにするため、その上端に転輪１３を備え、上部の横枠部材１０にはネット４の開閉時に転輪１３が走行するレール１０ａを設けている。また、該可動框５は、その姿勢がネット４等によって拘束されないため、その姿勢を常に一定に保持して安定的に平行移動させる必要があり、そのため、上記スクリーン枠２においては、可動框５に端部を固定して該スクリーン枠２に沿って張りめぐらした複数の張紐１４ａ〜１４ｃにより、該可動框５の姿勢を拘束する平行移動機構を構成させている。
【００１３】
上記スクリーン枠２における下部の横枠部材１２は、図２及び図３の（ａ），（ｂ）に明確に示すように、上記ネット４の開閉経路に沿う合成樹脂製の底板１２Ａと、該底板１２Ａの長手方向両側に立設したガイド壁１２Ｂ，１２Ｂとを備え、上記底板１２Ａの長手方向両側に形設した断面略凸形の溝部１２ａに、上記ガイド壁１２Ｂの下端に設けた断面略凸形の嵌入部１２ｂを、上記底板１２Ａの端部からスライド挿入することにより、上記底板１２Ａの長手方向両側にガイド壁１２Ｂ，１２Ｂを着脱自在に立設している。これらのガイド壁１２Ｂは、上記ネット４の張設状態においてネット４の下端が下部の横枠部材１２から脱離するのを抑止すること、及び建物開口部を通じて出入りする者が足を痛めたり躓くといった歩行の障害にならないことに配慮して、上記ネット４の下端をガイドするに十分な硬さ（すなわち、上記ネット４が風になびいてその下端が撓むのを抑止するに十分な硬さ）を有し、且つ弾性的に変形可能な合成樹脂により形成されている。
【００１４】
上記構成を有する防虫網戸としての横引き式スクリーン装置においては、下部の横枠部材１２におけるガイド壁１２Ｂを、ネット４の下端をガイドするに十分な硬さを有し且つ建物開口部を通じて出入りする者の歩行の障害にならないように弾性的に変形可能に形成しているので、ネット４の張設状態において該ネット４の下端をしっかりとガイドして上記下部の横枠部材１２から脱離するのを抑止することができ、また、仮に上記下部の横枠部材１２を踏みつけたとしても、上記ガイド壁１２Ｂが弾性的に変形するため、建物開口部を通じて出入りする者が足を痛めたり躓くといった歩行の障害になるようなことがない。
しかも、上述のための構造を、上記下部の横枠部材１２における底板１２Ａの長手方向両側に形設した略凸形の溝部１２ａに、上記ガイド壁１２Ｂの下端に設けた略凸形の嵌入部１２ｂを、上記底板１２Ａの端部からスライド挿入することにより、上記底板１２Ａの長手方向両側にガイド壁１２Ｂ，１２Ｂを着脱自在に立設するという簡易な構造により構成しているため、当該スクリーン装置を安価に提供することができる。
【００１５】
なお、上記下部の横枠部材１２の構成は、上述したものに限定されず、例えば、図４〜図７の各実施例に示す構成とすることもできる。
すなわち、図４に示す第２実施例においては、横枠部材２２の基本的な構成は前記第１実施例と同様として、ガイド壁２２Ｂにおける嵌入部２２ｂの両側の凸部を、該ガイド壁２２Ｂの長手方向に沿って下方に折曲容易に構成して、該ガイド壁２２Ｂにおける嵌入部２２ｂを底板２２Ａの上方から溝部２２ａに着脱自在に嵌入できるようにしたものである。
【００１６】
次に、図５に示す第３実施例においては、下部の横枠部材３２における底板３２Ａの長手方向両側面に溝部３２ａ，３２ａを形成し、それらの溝部３２ａ，３２ａに、断面略Ｌ字形及び逆Ｌ字形のガイド壁３２Ｂ，３２Ｃの嵌入部３２ｂを着脱自在に嵌入するように構成している。溝部３２ａと嵌入部３２ｂには、それらの嵌入状態において互いに係合する係合部を設けるのが望ましい。
【００１７】
さらに、図６に示す第４実施例においては、下部の横枠部材４２における底板４２Ａとガイド壁４２Ｂとを一体として、それらを弾性的に変形可能な合成樹脂により断面略Ｕ字形に形成し、それを床面にねじや接着材等の固定手段で固定する取付部材４４に着脱自在に取り付けている。該取付部材４４に対する上記底板４２Ａの取り付けは、該底板４２Ａの両側に、該底板４２Ａの長手方向に沿って相対峙する断面略鉤形の係止部４２ａを形成し、該係止部４２ａと取付部材４４の長手方向の両側面に突設した凸部４４ｂとを相互に係止させることにより、上記底板４２Ａを取付部材４４に着脱自在に取り付けるようにしている。
このように、下部の横枠部材４２における底板４２Ａとガイド壁４２Ｂを一体に形成し、それを床面に固定した取付部材に着脱自在に取り付けるように構成しても、前記第１実施例のもののようにガイド壁のみが着脱自在の場合と同様に、上記下部の横枠部材４２やその取り付け部近辺の床面の掃除をより簡単に行うことができる。
【００１８】
図７に示す第５実施例は、前記第４実施例に記載のものと同様に、下部の横枠部材５２における底板５２Ａとガイド壁５２Ｂとを一体としてそれらを断面略Ｕ字形に形成し、それを床面にねじや接着材等の固定手段で固定する取付部材５４に着脱自在に取り付けるように構成したものであるが、上記底板５２Ａを断面略へ字形に形成して、上記取付部材５４を底板５２Ａ下部の空間に収納できるように構成したものである。すなわち、上記取付部材５４に対する上記底板５２Ａの取り付けは、該底板５２Ａの下面に、該底板４２Ａの長手方向に沿って、上記取付部材５４の幅に対応する部位に相対峙する断面略鉤形の係止部５２ａを形成し、該係止部５２ａと上記取付部材５４の長手方向の両側面に突設した凸部５４ｂとを相互に係止させることにより、上記底板５２Ａを取付部材５４に着脱自在に取り付けるようにしている。
上記横枠部材５２は、弾性的に変形可能な合成樹脂により一体成形されるが、必要に応じてガイド壁５２Ｂのみを該合成樹脂で成形し、底板５２Ａはガイド壁５２Ｂと一体に比較的変形の少ない樹脂により成形することができる。
【００１９】
ここで、上述した第２乃至第５の各実施例におけるその他の構成及び作用は、実質的に前記第１実施例と同一であるから、それらの説明を省略する。
なお、上記各実施例においては、本発明を、アコーディオン式に伸縮するスクリーンを横引きにより開閉する横引き式スクリーン装置に適用した場合について記載したが、それに限定されず、スクリーン枠又は開閉操作用の可動框内に内蔵した巻取軸に巻き付けたスクリーンを、横引きにより開閉自在とした横引き式スクリーン装置に適用することができるのはいうまでもない。
【００２０】
【発明の効果】
以上に詳述した本発明の横引き式スクリーン装置によれば、下部の横枠部材におけるガイド壁を、スクリーンが風になびいてその下端が撓むのを抑止するに十分な硬さを有し且つ建物開口部を通じて出入りする者の歩行の障害にならないように弾性的に変形可能に形成しているので、スクリーンの張設状態においてスクリーン下端をしっかりとガイドして下部の横枠部材から脱離するのを抑止することができ、また、仮に上記下部の横枠部材を踏みつけたとしても、上記ガイド壁が弾性的に変形するため、建物開口部を通じて出入りする者が足を痛めたり躓くといった歩行の障害になるようなことがない。
しかも、構造的に簡易なため、当該スクリーン装置を安価に提供することができる。
【００２１】
さらに、上記下部の横枠部材におけるガイド壁を底板に着脱自在に取り付けるか、あるいは下部の横枠部材におけるガイド壁を底板と一体に形成し、それを床面に固定した取付部材に着脱自在に取り付けることにより、上記下部の横枠部材及びその取り付け部近辺の床面の掃除をより簡単に行うことができる。
【図面の簡単な説明】
【図１】本発明に係る横引き式スクリーン装置の第１実施例を示す正面図である。
【図２】図１の側断面図である。
【図３】（ａ）は下部の横枠部材の拡大側断面図、（ｂ）は同ガイド壁の取付態様を説明する拡大側面図である。
【図４】本発明に係る横引き式スクリーン装置の第２実施例における下部の横枠部材の側断面図である。
【図５】本発明に係る横引き式スクリーン装置の第３実施例における下部の横枠部材の側断面図である。
【図６】本発明に係る横引き式スクリーン装置の第４実施例における下部の横枠部材の側断面図である。
【図７】本発明に係る横引き式スクリーン装置の第５実施例における下部の横枠部材の側断面図である。
【符号の説明】
２    スクリーン枠
４    ネット
５    可動框
６，８    縦枠部材
１０，１２，２２，３２，４２，５２    横枠部材
１２Ａ，２２Ａ，３２Ａ，４２Ａ，５２Ａ  底板
１２Ｂ，２２Ｂ，３２Ｂ，３２Ｃ，４２Ｂ，５２Ｂ  ガイド壁
４４，５４    取付部材
【図１】
0003559257.tif 000002
【図２】
0003559257.tif 000003
【図３】
0003559257.tif 000004
【図４】
0003559257.tif 000005
【図５】
0003559257.tif 000006
【図６】
0003559257.tif 000007
【図７】
0003559257.tif 000008